(57)【要約】【課題】既設の無線通信システムに新たな無線通信システムを併設し、接続ケーブル数を増やすことなく、既設の無線通信システムからの周波数安定度の高いクロックを利用する。【解決手段】既設の無線通信システム（３）に併設され、この既設の無線通信システム（３）からの無線周波数信号を受信して無線区間に送信する無線装置１であり、動作クロックの少なくとも一部に、無線通信システム（３）からの無線周波数信号から抽出されるクロックを用いる。【選択図】図１
2011049727.tif 000002
【特許請求の範囲】
【請求項１】
既設の無線通信システムに併設され、上記既設の無線通信システムからの無線周波数信号を受信して無線区間に送信する無線装置であり、
動作クロックの少なくとも一部に、上記無線周波数信号から抽出されるクロックを用いる
ことを特徴とする無線通装置。
【請求項２】
所定のインタフェースを介して入力される信号と、上記インタフェースには対応していない既設の無線通信システムから無線周波数信号により受信した信号とを共に処理して無線区間に送信する処理送信手段と、
上記所定のインタフェースを介して入力される信号のクロックと、上記無線周波数信号により受信した信号から抽出したクロックとの少なくとも一方に基づいて、上記処理送信手段の動作クロックを生成するクロック生成手段と
を有する
ことを特徴とする無線装置。
【請求項３】
請求項２記載の無線装置において、
前記クロック生成手段は、前記所定のインタフェースを介する信号入力があるときにはその信号のクロックに基づいて前記動作クロックを生成し、前記所定のインタフェースを介する信号入力に障害があるときには、前記無線周波数信号により受信した信号から抽出したクロックに基づいて前記動作クロックを生成する
ことを特徴とする無線装置。
【発明の詳細な説明】
【技術分野】
【０００１】
本発明は、無線基地局で用いられる無線装置に関する。
【背景技術】
【０００２】
従来の無線通信システムの置き換えや増設には、その無線通信システムで用いられる全ての装置の交換を行うため、既設の装置の処分や交換作業の時間など、多額の費用がかかっていた。
【０００３】
一方、ＣＰＲＩ（Ｃｏｍｍｏｎ  Ｐｕｂｌｉｃ  Ｒａｄｉｏ  Ｉｎｔｅｒｆａｃｅ）と呼ばれる標準規格で規定されたインタフェースを有する新しい無線通信システムを、ＣＰＲＩインタフェースを有していない既設の無線通信システムに併設する場合、既設の無線通信システムから送信されるＲＦ信号を、新しいＣＰＲＩインタフェースを有する無線装置（ＲＥ：Ｒａｄｉｏ  Ｅｑｕｉｐｍｅｎｔ）に入力し、ＲＥ内の送信増幅器で両者の送信信号を送信することが考えられている。
【０００４】
このような構成では、ＲＥ内の回路を動作させるクロックとして、ＣＰＲＩの信号からＣＤＲ（Ｃｌｏｃｋ  Ｄａｔａ  Ｒｅｃｏｖｅｒｙ）機能を用いて抽出したクロック（リカバリークロック）が用いられる。このため、ＣＰＲＩインタフェースの回線上でリンクが切断した場合には、ＲＥ内の発振器が自走状態で動作することとなる。ＲＥ内の発振器としては安価なものが用いられるため、発振器が自走状態で動作し続けると、ＲＥから送信される送信周波数の周波数安定度が低下し、無線規格を満足できなくなる可能性がある。すなわち、新設の無線通信システムが運用停止すると、既設の無線通信システムも運用を停止せざるを得ないことになる。
【０００５】
この課題に対する解決策として、既設の無線通信システムから周波数安定度の高いクロックを専用の同軸ケーブルなどでＲＥ内に供給し、リカバリークロックが使用できないときには、専用の同軸ケーブルで供給されるクロックを使用するよう切り替えることが想定される。
【０００６】
図５は、ＣＰＲＩインタフェースを有していない既設の無線通信システムからＣＰＲＩインタフェースを有するＲＥにクロックを供給する構成例を示すブロック図である。ＣＰＲＩ標準規格で既定される無線通信システムは、ＲＥＣ（Ｒａｄｉｏ  Ｅｑｕｉｐｍｅｎｔ  Ｃｏｎｔｏｒｏｌ）と呼ばれる無線制御装置と、ＲＥと呼ばれる送信機、受信機、送信増幅器などが内蔵された無線装置とに分離され、双方がディジタルのＣＰＲＩで接続される。図５には、ＲＥを無線装置１０として示し、ＲＥＣを無線制御装置２として示す。また、既設の無線通信システムとして、そのシステムの一部を構成する無線基地局装置３を示す。
【０００７】
無線装置１０は、ＣＰＲＩインタフェース部１１、受信部１２、ベースバンド処理部１３、送信部１４、送信増幅部１５、フィルタ１６、およびクロック生成部１９０を有する。ＣＰＲＩインタフェース部１１は、無線制御装置２から送られてくるＣＰＲＩ信号を受けて、ＣＰＲＩフォーマットから必要なベースバンド信号を抽出し、そのベースバンド信号を用いてクロックを抽出するＣＤＲ（Ｃｌｏｃｋ  Ｄａｔａ  Ｒｅｃｏｖｅｒｙ）機能を有する。受信部７は、無線基地局装置３から送られてくるＲＦ信号を、ベースバンド処理できるように、低い周波数に周波数変換する。ベースバンド処理部１３は、受信部１２からの信号をディジタル変換し、ＣＰＲＩインタフェース部１１からの信号と合成後に、再びアナログ変換する。送信部１４は、ベースバンド処理部１３からのアナログのベースバンド信号を、送信周波数に周波数変換する。送信増幅部器１５は、送信部１４の出力する送信周波数信号を、規定の送信電力に増幅する。フィルタ１６は、不要波の抑圧を行う。フィルタ１６の出力は、アンテナ１７から無線区間に送出される。クロック生成部１９は、無線装置１０内の各部を動作させるためのクロックを生成する。
【０００８】
無線制御装置２は、ＣＰＲＩインタフェース部２２およびベースバンド処理部２１を有する。無線制御装置２は、伝送路網に同期して、高い周波数安定度を保っている。ベースバンド処理部２１は、この無線制御装置２から送信しようとする送信信号のベースバンド処理を行う。ＣＰＲＩインタフェース部２２は、ＳＦＰ  ＭＳＡ（Ｓｍａｌｌ  Ｆｏｒｍ−Ｆａｃｔｏｒ  Ｐｌｕｇｇａｂｌｅ  Ｍｕｌｔｉ  Ｓｏｕｒｃｅ  Ａｇｒｅｅｍｅｎｔ）規格に準拠したＳＦＰの物理インタフェースを有し、ＣＰＲＩ規格に則ったフォーマットにて、送信信号を無線装置１０に送る。ＣＰＲＩインタフェース部２２の送出するＣＰＲＩ信号は、光ファイバや高周波用ケーブルなどで構成された線材を用いて、無線装置１０に伝送される。
【０００９】
無線基地局装置３０は、既設の無線通信システムの一部であり、たとえばＷ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）方式に対応した装置である。この無線基地局装置３０は、ＣＰＲＩインタフェースをもたず、ベースバンド処理部３１および送信部３２を有する。無線基地局装置３０は、伝送路網に同期して、高い周波数安定度を保っている。ベースバンド処理部３１は、この無線基地局装置３０から送信する送信信号のベースバンド処理とアナログ変換とを行う。送信部３２は、ベースバンド処理部３１からの送信信号を、送信周波数に周波数変換し、ＲＦ信号として無線装置１０へ送る。送信部３２の送出するＲＦ信号は、同軸ケーブルなどで構成された線材を用いて伝送される。
【００１０】
無線基地局装置３０はまた、周波数安定度の高い高価な発振器で構成されるクロック生成部３３を有する。クロック生成部３３は、無線基地局装置３０内の各ブロックを動作させるクロック信号を生成する。このクロック信号はまた、専用の同軸ケーブルで構成された線材を用いて、無線装置１０に伝送される。
【００１１】
無線装置１０のクロック生成部１９０には、ＣＰＲＩインタフェース部１１からのリカバリークロックと、無線基地局装置３０のクロック生成部３３からのクロック信号とが供給される。そして、クロック生成部１９０は、無線装置１０内の各部を動作させるクロック生成の基準となるクロックとして、通常はＣＰＲＩインタフェース部１１からのリカバリークロックを選択する。また、クロック生成部１９０は、リカバリークロックが使用できないときには、無線基地局装置３０のクロック生成部３３からのクロック信号を選択する。
【００１２】
先行技術として、特許文献１には、ＣＰＲＩインタフェースを有する無線装置（ＲＥ）のクロックを、ロックレンジを確保しつつ、高い同期精度で、かつ一定時間以内の同期確立時間で、無線制御部（ＲＥＣ）からのラインレートに同期させる技術が開示されている。特許文献２には、ＣＰＲＩインタフェースを冗長化して、無瞬断スイッチオーバを簡単に行う技術が開示されている。特許文献３には、ＣＰＲＩリンク障害に対処する技術が開示されている。特許文献４には、ＲＥＣとＲＥとの間で、無線アンテナインタフェースを用いて情報通信を行う技術が開示されている。
【００１３】
また、ＣＰＲＩに関するものではないが、特許文献５には、ＲＦ信号を逆拡散してパイロット信号を抽出し、データを書き換えることで無変調信号に変換することが開示されている。この技術は、本願発明の実施の形態において利用することができる。
【先行技術文献】
【特許文献】
【００１４】
【特許文献１】特開２００６−０４９９６０号公報
【特許文献２】特開２００７−３０６３６２号公報
【特許文献３】特開２００８−０９９１３７号公報
【特許文献４】特表２００８−５１６５０３号公報
【特許文献５】特開２００８−０１１５４２号公報
【発明の概要】
【発明が解決しようとする課題】
【００１５】
しかし、図５に示す構成では、既設の無線基地局装置３０と、新しく設置される無線装置１０との間に、クロック信号を伝送するための同軸ケーブルを余分に設ける必要がある。このため、接続ケーブル数が増えて、設置工数の増大や設置場所の制約が発生してしまう。
【００１６】
本発明は、このような課題を解決し、接続ケーブル数を増やすことなく、既設の無線通信システムからの周波数安定度の高いクロックを利用することのできる無線装置を提供することを目的とする。
【課題を解決するための手段】
【００１７】
本発明の第１の観点によると、既設の無線通信システムに併設され、既設の無線通信システムからの無線周波数信号を受信して無線区間に送信する無線装置であり、動作クロックの少なくとも一部に、既設の無線通信装置からの無線周波数信号から抽出されるクロックを用いることを特徴とする無線装置が提供される。
【００１８】
本発明の第２の観点によると、所定のインタフェースを介して入力される信号と、そのインタフェースには対応していない既設の無線通信システムから無線周波数信号により受信した信号とを共に処理して無線区間に送信する処理送信手段と、所定のインタフェースを介して入力される信号のクロックと、無線周波数信号により受信した信号から抽出したクロックとの少なくとも一方に基づいて、処理送信手段の動作クロックを生成するクロック生成手段とを有することを特徴とする無線装置が提供される。
【発明の効果】
【００１９】
本発明によると、接続ケーブル数を増やすことなく、既設の無線通信システムからの周波数安定度の高いクロックを利用することができる。
【図面の簡単な説明】
【００２０】
【図１】本発明の実施の形態に係る無線装置を有する無線通信システムの構成例を既設の無線通信システムの一部である無線基地局装置と共に示すブロック図である。
【図２】図１に示す無線通信内のベースバンド処理部、クロック抽出部およびクロック生成部の詳細な構成例を示すブロック図である。
【図３】図１に示す無線装置の動作を説明するフローチャートである。
【図４】図１に示す無線装置の動作を説明するフローチャートであり、ＣＰＲＩ信号の非導通状態から導通状態へと遷移してリカバリークロックが出力されるようになった場合のクロック切替動作を示す。
【図５】ＣＰＲＩインタフェースを有していない既設の無線通信システムからＣＰＲＩインタフェースを有するＲＥにクロックを供給する構成例を示すブロック図である。
【発明を実施するための形態】
【００２１】
［システム構成］
図１は、本発明の実施の形態に係る無線装置を有する無線通信システムの構成例を既設の無線通信システムの一部である無線基地局装置と共に示すブロック図である。
【００２２】
図１に示す無線通信システムは、ＣＰＲＩ標準規格で既定される無線通信システムであり、既設の無線通信装置である無線基地局装置システムに併設され、既設の無線通信システムからの無線周波数（ＲＦ）信号を受信して無線区間に送信する無線装置（ＲＥ）１を有する。この無線通信システムはまた、無線制御装置（ＲＥＣ）２を有する。図１にはまた、既設の無線通信システムの一部として、無線基地局装置３を示す。
【００２３】
無線装置１は、ＣＰＲＩインタフェース部１１、受信部１２、ベースバンド処理部１３、送信部１４、送信増幅部１５、フィルタ１６、アンテナ１７、クロック抽出部１８およびクロック生成部１９を有する。ベースバンド処理部１３、送信部１４、送信増幅部１５、フィルタ１６およびアンテナ１７は、ＣＰＲＩインタフェースを介して入力される信号と、ＣＰＲＩインタフェースには対応していない既設の無線通信システム（無線基地局装置３）からＲＦ信号により受信した信号とを共に処理して無線区間に送信する処理送信手段を構成する。クロック生成部１９は、ＣＰＲＩインタフェースを介して入力される信号のクロックと、ＲＦ信号により受信した信号から抽出したクロックとの少なくとも一方に基づいて、各部の動作クロックを生成するクロック生成手段を構成する。
【００２４】
無線制御装置２は、ベースバンド処理部２１およびＣＰＲＩインタフェース部２２を有する。ベースバンド処理部２１は、無線制御装置２から送信する送信信号のベースバンド処理を行う。ＣＰＲＩインタフェース部２２は、ＣＰＲＩ規格に則ったフォーマットにて、送信信号を無線装置１に送る。無線制御装置２から無線装置１へのＣＰＲＩ信号は、光ファイバや高周波用ケーブルなどで構成された線材を用いて伝送される。
【００２５】
無線基地局装置３は、既設のＷ−ＣＤＭＡ方式に対応した無線通信システムの一部であり、ＣＰＲＩインタフェースをもっていない。この無線基地局装置３は、ベースバンド処理部３１、送信部３２およびクロック生成部３３を有する。ベースバンド処理部３１は、クロック生成部３３の生成するクロックにより動作し、無線基地局装置３から送信する送信信号のベースバンド処理を行う。送信部３２は、クロック生成部３３の生成するクロックにより動作し、ベースバンド処理部３１でベースバンド処理およびアナログ変換が施された送信信号を、送信周波数に周波数変換する。この信号は、ＲＦ信号として、無線装置１へ送られる。ＲＦ信号は、同軸ケーブルなどで構成された線材を用いて伝送される。
【００２６】
［無線装置の構成および動作］
無線装置１を構成する各部の動作について、さらに詳しく説明する。
【００２７】
ＣＰＲＩインタフェース部１１は、ＳＦＰ  ＭＳＡ規格に準拠したＳＦＰの物理インタフェースを有し、無線制御装置２から送られてくるＣＰＲＩ信号を受け取って、ＣＰＲＩフォーマットから必要なベースバンド信号を抽出する。ＣＰＲＩインタフェース部１１はまた、ＣＤＲ機能を有し、抽出したベースバンド信号を用いて、リカバリークロック１０１を抽出する。ＣＰＲＩインタフェース部１１はまた、ＬＯＳ（Ｌｏｓｓ  Ｏｆ  Ｓｉｇｎａｌ）検出機能を有し、ＬＯＳを検出した場合には、それを示す論理信号１０２を出力する。受信部１２は、無線基地局装置３から送られてくるＲＦ信号を、ベースバンド処理できるように、低い周波数に周波数変換する。
【００２８】
ベースバンド処理部１３は、受信部１２からの信号をディジタル変換し、ＣＰＲＩインタフェース部１１からの信号と合成して、アナログ変換する。送信部１４は、ベースバンド処理部１３からのアナログのベースバンド信号を、送信周波数に周波数変換する。送信増幅部器１５は、送信部１４の出力する送信周波数信号を、規定の送信電力に増幅する。フィルタ１６は、不要波の抑圧を行う。フィルタ１６の出力は、アンテナ１７から無線区間に送出される。
【００２９】
クロック抽出部１８は、受信部１２からベースバンド処理部１３を経由して復調した信号を逆拡散してチャネルを抽出し、チャネル内部のデータを全て「１」等のデータに書き換えることで、無変調波信号に変換する。クロック生成部１９は、ＣＰＲＩインタフェース部１１からのＣＤＲ機能により抽出されたリカバリークロック１０１と、クロック抽出部１８で抽出されたクロック１０４とを切り替えて、内部に有するＰＬＬ回路にてジッタクリーナを行い、無線装置１内の各部を動作させるための動作クロックとして使用する。
【００３０】
図２は、無線装置１内のベースバンド処理部１３、クロック抽出部１８およびクロック生成部１９の詳細な構成例を示すブロック図である。図２には、ＣＰＲＩインタフェース部１１１および受信部１２を併記する。
【００３１】
ベースバンド処理部１３は、ディジタル変換部１３１、復調部１３２、合成部１３３、変調部１３４、アナログ変換部１３５およびレベル検出部１３６を有する。ディジタル変換部１３１は、Ａ／Ｄコンバータにより構成され、受信部１２からのアナログ信号をディジタル信号に変換する。復調部１３２は、ディジタル信号の直交復調を行う。合成部１３３は、ＣＰＲＩインタフェース部１１からの無線制御装置２の送信信号と、受信部１２からの無線基地局装置３の送信信号とを合成する。変調部１３４は、直交変調を行う。アナログ変換部１３５は、Ｄ／Ａコンバータで構成され、アナログ信号へと変換して送信部１４へ送る。レベル検出部１２３は、復調部１３２からの信号のレベル検出を行い、閾値以上のレベルの有無を、論理信号１０３としてクロック生成部１９へ送る。
【００３２】
クロック抽出部１８は、逆拡散部１８１、同期部１８２、チャネル抽出部１８３、データ生成部１８４、およびクロック出力部１８５を有する。逆拡散部１８１は、復調部１３２からのＷ−ＣＤＭＡ信号を逆拡散する。同期部１８２は、逆拡散した信号の同期信号を用いて同期する。チャネル抽出部１８３は、逆拡散された信号の中から、パイロット信号のみを抽出する。データ生成部１８４は、抽出したパイロット信号のデータを全て「１」に書き換えて、無変調の信号へと変換させる。クロック出力部１８５は、無線装置１内で使用するためのクロック波形、振幅に調整して、クロック生成部１９にクロック１０４を出力する。
【００３３】
クロック生成部１９は、スイッチ切替制御部１９１、スイッチ１９２、位相ロックループ（ＰＬＬ）１９３および発振部１９４を有する。スイッチ切替制御部１９１は、論理信号１０２、１０３に基づいて、スイッチ１９２の切替信号を生成する。スイッチ１９２は、スイッチ切替制御部１９１からの指示により、リカバリークロック１０１とクロック１０４との選択切替を行う。ＰＬＬ１９３は、スイッチ１９２からの信号を基準として、発振部１９４の周波数を電圧により制御する。発振部１９４は、周波数安定度が高い電圧制御水晶発振器（ＶＣＸＯ）を用い、ＰＬＬ１９３と組み合わせて、ジッタクリーナとして動作する。
【００３４】
図３は、無線装置１の動作を説明するフローチャートである。
【００３５】
無線制御装置２の動作に問題がない限り、無線装置１には、ＣＰＲＩ信号が入力される（ステップＳ１）。ＣＰＲＩインタフェース部１１は、ＣＰＲＩ信号からベースバンドデータを抽出してベースバンド処理部１３へ出力し、ＣＤＲ機能によりリカバリークロック１０１を抽出してクロック生成部１９へ出力する（ステップＳ２）。
【００３６】
また、無線基地局装置３の動作に問題がない限り、ＲＦ信号が無線装置１に入力される（ステップＳ３）。受信部１２は、ＲＦ信号をベースバンド処理できる低い周波数に周波数変換する（ステップＳ４）。ベースバンド処理部１３は、受信部１２で周波数変換された信号をディジタル信号に変換し、復調を行う（ステップＳ５）。クロック抽出部１８は、復調信号から、クロック１０４を抽出する（ステップＳ６）。
【００３７】
ＣＰＲＩインタフェース部１１は、ＳＦＰ  ＭＳＡ規格であるＬＯＳの検出を行い、リンク監視を行う。すなわち、ＬＯＳが検出されると非導通と判断し、それを示す論理信号１０２をスイッチ切替制御部１９１に送る。また、レベル検出部１３６は、ＲＦ信号からの信号が入力されているかを検出し、ある閾値以上のレベルを検出した場合に、それを示す論理信号１０３をスイッチ切替制御部１９１に送る。スイッチ切替制御部１９１では、これらの論理信号１０２、１０３によりクロック有無の判断を行い（ステップＳ７）、スイッチ１９２の経路判断を行う。
【００３８】
論理信号１０２がＬＯＳの検出を示していない場合、スイッチ切替制御部１９１は、リカバリークロック１０１が出力されている（１０１あり）と判断し、リカバリークロック１０１の選択切替を行う（ステップＳ８）。これにより、無線装置１内の各ブロックは、リカバリークロック１０１を基準とした動作クロックで動作する（ステップシ９）。
【００３９】
論理信号１０２がＬＯＳの検出を示し、論理信号１０３がＲＦ信号の入力を示している場合、スイッチ切替制御部１９１は、リカバリークロック１０１が出力されておらず、ＲＦ信号からのクロック１０４は出力されている（１０１なし、１０４あり）と判断し、クロック１０４の選択切替を行う（ステップＳ１０）。これにより、無線装置１内の各ブロックは、ＲＦ信号からのクロック１０４を基準とした動作クロックで動作する。
【００４０】
すなわち、クロック生成部１９は、ＣＰＲＩインタフェースを介する信号入力があるときには、その信号のクロックに基づいて動作クロックを生成し、ＣＰＲＩインタフェースを介する信号入力に障害があるときには、ＲＦ信号により受信した信号から抽出したクロックに基づいて動作クロックを生成する。
【００４１】
論理信号１０２がＬＯＳの検出を示し、論理信号１０３がＲＦ信号の入力されていないことを示している場合には、周波数安定度の高いクロックが存在しない（１０１なし、１０４なし）ことから運用を続けることができないため、無線装置１の運用を停止させる（ステップＳ１２）。
【００４２】
図４は、無線装置１の動作を説明するフローチャートであり、ＣＰＲＩ信号の非導通状態から導通状態へと遷移してリカバリークロックが出力されるようになった場合のクロック切替動作を示す。
【００４３】
ＣＰＲＩ信号の非導通状態から導通状態へと遷移すると、ＣＰＲＩインタフェース部１１がそれを検出し（ステップＳ２１）、論理信号１０２を、ＬＯＳの検出を示す状態から、ＬＯＳの検出を示していない状態に遷移させる。クロック生成部１９は、論理信号１０２がＣＰＲＩインタフェース部１１からリカバリークロック１０１が入力されていることを示しているので、スイッチ１９２でリカバリークロック１０１を選択するように切り替える（ステップＳ２２）。これにより、無線装置１内の各ブロックは、再び、リカバリークロック１０１を基準とした動作クロックで動作する（ステップＳ２３）。
【００４４】
［効果］
以上説明した実施の形態では、既設の無線通信システムの送信信号からクロックを抽出することで、既設の無線通信システムと新たに併設する無線通信システムの無線装置との間に同軸ケーブルを余分に接続することなく、周波数安定度の高いクロックを生成することができる。また、新設の無線通信システムとのＣＰＲＩインタフェースとのリンク監視と既設の無線通信システムの送信信号から抽出したクロックのレベル監視を行うことで、不具合が発生した場合に、クロックを切り替える判断を行うことができる。さらに、クロックの切替機能を有しているので、正常な無線通信システムからの信号を用いて、クロックを動作させることができる。
【符号の説明】
【００４５】
１、１０  無線装置
２  無線制御装置
３、３０  無線基地局装置（既設の無線通信システムの一部）
１１、２２  ＣＰＲＩインタフェース部
１２  受信部
１３  ベースバンド処理部（処理送信手段の一部）
１４  送信部（処理送信手段の一部）
１５  送信増幅部（処理送信手段の一部）
１６  フィルタ（処理送信手段の一部）
１７  アンテナ（処理送信手段の一部）
１８  クロック抽出部
１９  クロック生成部（クロック生成手段）
１９０  クロック生成部
２１、３１  ベースバンド処理部
３２  送信部
３３  クロック生成部
１３１  ディジタル変換部
１３２  復調部
１３３  合成部
１３４  変調部
１３５  アナログ変換部
１３６  レベル検出部
１８１  逆拡散部
１８２  同期部
１８３  チャネル抽出部
１８４  データ生成部
１８５  クロック出力部
１９１  スイッチ切替制御部
１９２  スイッチ
１９３  位相ロックループ
１９４  発振部
【図１】
2011049727.tif 000003
【図２】
2011049727.tif 000004
【図３】
2011049727.tif 000005
【図４】
2011049727.tif 000006
【図５】
2011049727.tif 000007